【手続補正書】
【提出日】平成18年6月21日(2006.6.21)
【手続補正１】
【補正対象書類名】明細書
【補正対象項目名】特許請求の範囲
【補正方法】変更
【補正の内容】
【特許請求の範囲】
【請求項１】  ピエゾタイプ衝撃型流体装置の内側に気泡が形成するのを防ぐ方法であって、前記ピエゾタイプ衝撃型流体装置は、少なくとも１つのオリフィスをその中に有する少なくとも１つの流体室及びこの室につながる圧電変換器を有し、次の工程（ａ）〜（ｃ）を含む方法：
（ａ）前記流体室に噴出流体を供給し、ここに前記噴出流体は０．０１〜５．０重量％の濃度の酸化防止剤を含むものである工程；
（ｂ）前記圧電変換器が前記流体室を膨張及び収縮をさせるようにこの圧電変換器に電圧印加する速度を変化させる工程；
（ｃ）少なくとも１つのオリフィスから流体の小滴を放出する工程。
【請求項２】  前記噴出流体が２．０重量％の酸化防止剤を含む、請求項１の方法。
【請求項３】  前記噴出流体が０．２〜１．０重量％の酸化防止剤を含む、請求項２の方法。
【請求項４】  前記酸化防止剤が、オイゲノール、ハイドロキノン、ピロカテコール、グアイアコール（メチルカテコール）、ブチル化ヒドロキシトルエン、ブチル化ヒドロキシアニソール、メチルエチルケトキシム、ブチルアルドキシム、シクロヘキサノンオキシム、又はこれらの混合物を含む、請求項１〜３のいずれかに記載の方法。
【請求項５】  前記酸化防止剤がシクロヘキサノンオキシムである、請求項４の方法。
【請求項６】  前記噴出流体が次の（ａ）〜（ｃ）を含む分散型インクジェットインク組成物である、請求項１〜５のいずれかに記載の方法：
（ａ）２０〜５０重量％の顔料分散体であって、ここに前記顔料分散体は２５〜４５重量％の顔料；１５〜４５重量％のポリマー状分散剤；及び２５〜４５重量％の分散媒を含み、ここに前記ポリマー状分散剤に対する前記顔料の比が１：１〜１：０．６８であるもの；
（ｂ）１０〜２０重量％のグリコールエーテル；並びに
（ｃ）４０〜６０重量％の可塑剤。
【請求項７】  前記カーボンブラックの粒度が１．０μｍ又はそれ未満である、請求項６の方法。
【請求項８】  前記顔料分散体が３０〜４０重量％の顔料；２０〜４０重量％のポリマー状分散体；及び３０〜４０重量％のエステルを含む、請求項６又は７の方法。
【請求項９】  前記分散型インクが０．０１〜２．０重量％の酸化防止剤を含む、請求項６〜８のいずれかに記載の方法。
【請求項１０】  前記分散型インクが０．０１〜１．０重量％の酸化防止剤を含む、請求項６〜８のいずれかに記載の方法。
【請求項１１】  前記酸化防止剤が、オイゲノール、ハイドロキノン、ピロカテコール、グアイアコール（メチルカテコール）、ブチル化ヒドロキシトルエン、ブチル化ヒドロキシアニソール、メチルエチルケトキシム、ブチルアルドキシム、シクロヘキサノンオキシム、又はこれらの混合物を含む、請求項６〜１０のいずれかに記載の方法。
【請求項１２】  前記酸化防止剤がハイドロキノンを含む、請求項６〜１１のいずれかに記載の方法。
【請求項１３】  前記分散媒がエステルである、請求項６〜１２のいずれかに記載の方法。
【請求項１４】  前記エステルがシュウ酸ジエチル、シュウ酸ジブチル、マロン酸ジメチル、マロン酸ジエチル、マロン酸ジ−ｔ−ブチル、こはく酸ジメチル、こはく酸ジエチル、アジピン酸ジエチル、セバチン酸ジメチル、セバチン酸ジブチル、アゼライン酸ジエチル、メチレンジアセテート、エチレングリコールジアセテート、２，２，４−トリメチル−１，３−ペンタンジオールジイソブチレート、トリアセチン、又はこれらの混合物を含む、請求項１３に記載の方法。
【請求項１５】  前記噴出流体が次の（ａ）〜（ｃ）を含む速乾性インクジェットインク組成物である、請求項１〜１４のいずれかに記載の方法：
（ａ）炭素原子数３〜２０のグリコールアルキルエーテル、ケトンアルコール、１，４−ブタンジオール、変性エタノール、ベンジルアルコール、アルキルラクテート、又はこれらの混合物を含む溶剤を２０〜９５重量％；
（ｂ）ポリエステル樹脂、ポリビニルブテロール（ｐｏｌｙｖｉｎｙｌｂｕｔｅｒｏｌ）樹脂、フェノール樹脂、アクリル樹脂、又はこれらの混合物を含むポリマー状樹脂を１〜２０重量％；及び
（ｃ）着色剤を１〜２０重量％。
【請求項１６】  前記溶剤が前記インク組成物の６０〜９０重量％存在する、請求項１５の方法。
【請求項１７】  前記グリコールアルキルエーテルが３〜７の炭素原子数を有する、請求項１５又は１６の方法。
【請求項１８】  前記分散型インクが０．０１〜２．０重量％の酸化防止剤を含む、請求項１５〜１７のいずれかに記載の方法。
【請求項１９】  前記分散型インクが０．０１〜１．０重量％の酸化防止剤を含む、請求項１８の方法。
【請求項２０】  圧電衝撃型の流体装置用の噴出流体であって、前記圧電衝撃型の流体装置が少なくとも１つのオリフィスをその中に有する流体室及びこの室につながる圧電変換器を有し、前記噴出流体がポリマー溶液及び０．０１〜５重量％の酸化防止剤を含むものである、噴出流体。
【請求項２１】  前記ポリマー溶液が水を含む、請求項２０の噴出流体。
【請求項２２】  圧電衝撃型の流体装置用の噴出流体であって、前記圧電衝撃型の流体装置が少なくとも１つのオリフィスをその中に有する流体室及びこの室につながる圧電変換器を有し、前記噴出流体が次の（ａ）〜（ｄ）を有するものである噴出流体：
（ａ）２０〜５０重量％の顔料分散体であって、ここに前記顔料分散体は２５〜４５重量％の顔料；１５〜４５重量％のポリマー状分散剤；及び２５〜４５重量％の分散媒を含み、ここに前記ポリマー状分散剤に対する前記顔料の比が１：１〜１：０．６８であるもの；
（ｂ）１０〜２０重量％のグリコールエーテル；
（ｃ）４０〜６０重量％の可塑剤；並びに
（ｄ）０．０１〜５．０重量％の酸化防止剤。
【請求項２３】  前記酸化防止剤が０．０１〜２．０重量％存在する、請求項２２の噴出流体。
【請求項２４】  前記顔料分散体が３０〜４０重量％の顔料；２０〜４０重量％のポリマー状分散体；３０〜４０重量％のエステル；及び０．２重量％の酸化防止剤を含む、請求項２３の噴出流体。
【請求項２５】  前記顔料がカーボンブラックである、請求項２２〜２４のいずれかに記載の噴出流体。
【請求項２６】  前記カーボンブラックの平均粒度が０．６μｍである、請求項２５の噴出流体。
【請求項２７】  前記分散媒がエステルである、請求項２２〜２６のいずれかに記載の噴出流体。
【請求項２８】  前記酸化防止剤が、オイゲノール、ハイドロキノン、ピロカテコール、グアイアコール（メチルカテコール）、ブチル化ヒドロキシトルエン、ブチル化ヒドロキシアニソール、メチルエチルケトキシム、ブチルアルドキシム、シクロヘキサノンオキシム、又はこれらの混合物を含む、請求項２２〜２７のいずれかに記載の噴出流体。
【請求項２９】  圧電衝撃型の流体装置用の噴出流体であって、前記圧電衝撃型の流体装置が少なくとも１つのオリフィスをその中に有する流体室及びこの室につながる圧電変換器を有し、前記噴出流体が次の（ａ）〜（ｄ）を有するものである噴出流体：
（ａ）炭素原子数３〜２０のグリコールアルキルエーテル、ケトンアルコール、１，４−ブタンジオール、変性エタノール、ベンジルアルコール、アルキルラクテート、又はこれらの混合物を含む溶剤を２０〜９５重量％；
（ｂ）ポリエステル樹脂、ポリビニルブテロール（ｐｏｌｙｖｉｎｙｌｂｕｔｅｒｏｌ）樹脂、フェノール樹脂、アクリル樹脂、又はこれらの混合物を含むポリマー状樹脂を１〜２０重量％；
（ｃ）着色剤を１〜２０重量％；及び
（ｄ）酸化防止剤を０．０１〜５．０重量％。
【請求項３０】  前記溶剤が前記インク組成物の６０〜９０重量％存在する、請求項２９の噴出流体。
【請求項３１】  前記グリコールアルキルエーテルが３〜７の炭素原子数を有する、請求項２９又は３０の噴出流体。
【請求項３２】  前記酸化防止剤が０．０１〜２．０重量％で存在する、請求項２９〜３１のいずれかに記載の噴出流体。
【請求項３３】  前記酸化防止剤が０．０１〜１．０重量％で存在する、請求項３２の噴出流体。
【請求項３４】  前記酸化防止剤が、オイゲノール、ハイドロキノン、ピロカテコール、グアイアコール（メチルカテコール）、ブチル化ヒドロキシトルエン、ブチル化ヒドロキシアニソール、メチルエチルケトキシム、ブチルアルドキシム、シクロヘキサノンオキシム、又はこれらの混合物を含む、請求項２９〜３３のいずれかに記載の噴出流体。